(57)【要約】【課題】デザイン性の低下及びサイズアップを抑制して、携帯端末に滑り止め構造を搭載する。【解決手段】表示画面が表面側に設けられた平板状の端末本体８ａと、端末本体８ａの裏面側に取り付けられたカバー部材９とを備えた携帯端末１０ａであって、端末本体８ａの裏面側には、滑り止め加工が施された滑り止め部２ａｃが設けられ、カバー部材９には、滑り止め部２ａｃが露出するように開口部９ｃａが設けられている。【選択図】図２
2014155055.tif 000002
【特許請求の範囲】
【請求項１】
表示画面が表面側に設けられた平板状の端末本体と、
上記端末本体の裏面側に取り付けられたカバー部材とを備えた携帯端末であって、
上記端末本体の裏面側には、滑り止め加工が施された滑り止め部が設けられ、
上記カバー部材には、上記滑り止め部が露出するように開口部が設けられていることを特徴とする携帯端末。
【請求項２】
請求項１に記載された携帯端末において、
上記端末本体及びカバー部材は、平面視で長方形状にそれぞれ設けられ、
上記端末本体の表面側における一方の短辺に沿う端部には、該端末本体を操作するキーが設けられ、
上記開口部は、上記カバー部材の一方の長辺に沿う端部の一方の短辺側に該長辺に沿って延びるように設けられた第１開口部と、上記カバー部材の一方の長辺に沿う端部の他方の短辺側に該長辺に沿って延びるように設けられた第２開口部と、上記カバー部材の他方の長辺に沿う端部の一方の短辺側に該長辺に沿って延びるように設けられた第３開口部と、上記カバー部材の他方の長辺に沿う端部の他方の短辺側に該長辺に沿って延びるように設けられた第４開口部とにより構成され、
上記滑り止め部は、上記第１開口部から露出するように設けられた第１滑り止め部と、上記第２開口部から露出するように設けられた第２滑り止め部と、上記第３開口部から露出するように設けられた第３滑り止め部と、上記第４開口部から露出するように設けられた第４滑り止め部とにより構成されていることを特徴とする携帯端末。
【請求項３】
請求項２に記載された携帯端末において、
上記第２開口部は、上記第１開口部よりも長く設けられ、
上記第４開口部は、上記第３開口部よりも長く設けられ、
上記第２滑り止め部は、上記第１滑り止め部よりも長く設けられ、
上記第４滑り止め部は、上記第３滑り止め部よりも長く設けられていることを特徴とする携帯端末。
【請求項４】
請求項２又は３に記載された携帯端末において、
上記第１滑り止め部、第２滑り止め部、第３滑り止め部及び第４滑り止め部は、上記カバー部材の外表面から突出しないように設けられていることを特徴とする携帯端末。
【請求項５】
請求項４に記載された携帯端末において、
上記第１滑り止め部、第２滑り止め部、第３滑り止め部及び第４滑り止め部の各表面には、滑り止め加工が施された突起が設けられていることを特徴とする携帯端末。
【発明の詳細な説明】
【技術分野】
【０００１】
本発明は、滑り止め構造を有する携帯端末に関するものである。
【背景技術】
【０００２】
携帯電話機などの携帯端末では、操作中に落下することを防止するために、種々の滑り止め構造が提案されている（例えば、特許文献１参照）。
【先行技術文献】
【特許文献】
【０００３】
【特許文献１】特開２００２−１３５３８３号公報
【発明の概要】
【発明が解決しようとする課題】
【０００４】
ところで、携帯電話機では、近年、スマートフォンの普及が進んでいる。このスマートフォンは、大画面を有し、平板状に形成されているので、端末全体を片手で保持する際や画面端部でキー操作を片手で行う際などに手から落下し易い。そのため、スマートフォンなどの平板状の携帯端末では、滑り止め構造による落下防止対策を講じる必要がある。しかしながら、滑り止め構造を別部材で設けると、デザイン性が損なわれたり、サイズが大きくなったりするおそれがある。
【０００５】
本発明は、かかる点に鑑みてなされたものであり、その目的とするところは、デザイン性の低下及びサイズアップを抑制して、携帯端末に滑り止め構造を搭載することにある。
【課題を解決するための手段】
【０００６】
上記目的を達成するために、本発明は、カバー部材に端末本体の滑り止め部が露出する開口部を設けるようにしたものである。
【０００７】
具体的に本発明に係る携帯端末は、表示画面が表面側に設けられた平板状の端末本体と、上記端末本体の裏面側に取り付けられたカバー部材とを備えた携帯端末であって、上記端末本体の裏面側には、滑り止め加工が施された滑り止め部が設けられ、上記カバー部材には、上記滑り止め部が露出するように開口部が設けられていることを特徴とする。
【０００８】
上記の構成によれば、平板状の端末本体の裏面側に配置するカバー部材に対して、端末本体の裏面側の滑り止め部が露出するように開口部が設けられているので、端末本体の裏面側の滑り止め部をカバー部材からその開口部を介して露出させることにより、携帯端末に滑り止め構造が搭載されている。ここで、滑り止め構造を構成する滑り止め部は、端末本体の表面における滑り止め加工により形成されるので、携帯端末に滑り止め構造が搭載されていても、携帯端末のサイズアップが抑制されると共に、デザイン性の低下が抑制される。したがって、デザイン性の低下及びサイズアップを抑制して、携帯端末に滑り止め構造が搭載される。
【発明の効果】
【０００９】
本発明によれば、カバー部材に端末本体の滑り止め部が露出するように開口部が設けられているので、デザイン性の低下及びサイズアップを抑制して、携帯端末に滑り止め構造を搭載することができる。
【図面の簡単な説明】
【００１０】
【図１】実施形態１に係る携帯端末を示す斜視図である。
【図２】図１中のII−II線に沿った携帯端末を示す拡大断面図である。
【図３】実施形態１に係る携帯端末を構成するカバー部材及び背面側キャビネットの組立体を示す斜視図である。
【図４】実施形態１に係るカバー部材及び裏側キャビネットの組立体を示す分解斜視図である。
【図５】実施形態２に係る携帯端末を示す図２に対応する拡大断面図である。
【発明を実施するための形態】
【００１１】
以下、本発明の実施形態を図面に基づいて詳細に説明する。なお、本発明は、以下の各実施形態に限定されるものではない。
【００１２】
《発明の実施形態１》
図１〜図４は、本発明に係る携帯端末の実施形態１を示している。なお、本実施形態及び後述する実施形態２では、携帯端末として、スマートフォンと呼ばれる携帯電話機を例示する。ここで、図１は、本実施形態の携帯電話機１０ａを示す斜視図である。また、図２は、図１中のII−II線に沿った携帯電話機１０ａを示す拡大断面図である。また、図３は、携帯電話機１０ａを構成する電池蓋９及び裏側キャビネット２ａの組立体を携帯電話機１０ａの裏面側から見た斜視図であり、図４は、その組立体の分解斜視図である。
【００１３】
携帯電話機１０ａは、図１及び図２に示すように、表面側（図中上側）に表示画面Ｄを有し、平面視で長方形状に設けられた平板状の端末本体８ａと、端末本体８ａの裏面側（図中下側）に取り付けられ、カバー部材として平面視で長方形状に設けられた電池蓋９とを備えている。
【００１４】
端末本体８ａは、図２に示すように、略枠状に設けられた樹脂製の表側キャビネット１と、表側キャビネット１の周端部に嵌合するように設けられた樹脂製の裏側キャビネット２ａと、表側キャビネット１の図中上側に収容された表示装置３と、表示装置３の図中上側に接着層を介して設けられたカバーガラス４と、表側キャビネット１の図中下側及び裏側キャビネット２ａに収容された充電池５とを備えている。また、図１に示すように、端末本体８ａ（図２参照）の表面側の表示画面Ｄにおける一方の短辺（図１中の左下の辺）に沿う端部には、端末本体８ａを操作するキー７が設けられている。ここで、キー７は、例えば、タッチパネルを利用して設けられたソフトウェアキーや物理的に設けられたハードウェアキーなどである。
【００１５】
裏側キャビネット２ａには、図２及び図４に示すように、充電池５を収容する開口部２ｃが平面視で矩形状に設けられている。また、裏側キャビネット２ａの裏面側（図中上側）には、図４に示すように、ＣＣＤ（charge-coupled device）カメラなどを備えたカメラ部６が搭載されている。また、裏側キャビネット２ａの裏面側（図中上側）の一方（図中右下側）の長辺に沿う端部には、図４に示すように、一方の短辺側（図中左下側）に一方の長辺に沿って延びるように第１滑り止め部２ａａが相対的に短く設けられ、他方の短辺側（図中右上側）に一方の長辺に沿って延びるように第２滑り止め部２ａｂが相対的に長く設けられている。また、裏側キャビネット２ａの裏面側（図中上側）の他方（図中左上側）の長辺に沿う端部には、図４に示すように、一方の短辺側（図中左下側）に一方の長辺に沿って延びるように第３滑り止め部２ａｃが相対的に短く設けられ、他方の短辺側（図中右上側）に一方の長辺に沿って延びるように第４滑り止め部２ａｄが相対的に長く設けられている。
【００１６】
第１滑り止め部２ａａ、第２滑り止め部２ａｂ、第３滑り止め部２ａｃ及び第４滑り止め部２ａｄの各表面には、例えば、滑り止め性を有するゴム素材のコーティング加工などの滑り止め加工が施されている。また、第１滑り止め部２ａａ、第２滑り止め部２ａｂ、第３滑り止め部２ａｃ及び第４滑り止め部２ａｄの高さは、図２及び図４に示すように、裏側キャビネット２ａに電池蓋９を取り付けた際に電池蓋９の外表面から突出しないように設定されている。
【００１７】
表示装置３は、例えば、液晶表示パネルや有機ＥＬ（electroluminescence）などの表示パネルと、その表示パネルに積層又は内蔵された静電容量方式のタッチパネルとを備えている。
【００１８】
電池蓋９の周端部は、図２及び図４に示すように、曲面状に面取りされており、その周端部には、裏側キャビネット２ａの第１滑り止め部２ａａ、第２滑り止め部２ａｂ、第３滑り止め部２ａｃ及び第４滑り止め部２ａｄがそれぞれ露出するように第１開口部９ｃａ、第２開口部９ｃｂ、第３開口部９ｃｃ及び第４開口部９ｃｄが設けられている。また、電池蓋９には、図４に示すように、裏側キャビネット２ａに搭載されたカメラ部６が露出するように第５開口部９ｃｅが設けられている。ここで、第１開口部９ｃａは、図４に示すように、電池蓋９の一方（図中右下側）の長辺に沿う端部の一方の短辺側（図中左下側）にその長辺に沿って延びるように相対的に短く線状に設けられている。また、第２開口部９ｃｂは、図４に示すように、電池蓋９の一方（図中右下側）の長辺に沿う端部の他方の短辺側（図中右上側）にその長辺に沿って延びるように相対的に長く線状に設けられている。また、第３開口部９ｃｃは、図４に示すように、電池蓋９の他方（図中左上側）の長辺に沿う端部の一方の短辺側（図中左下側）にその長辺に沿って延びるように相対的に短く線状に設けられている。また、第４開口部９ｃｄは、電池蓋９の他方（図中左上側）の長辺に沿う端部の他方の短辺側（図中右上側）にその長辺に沿って延びるように相対的に長く線状に設けられている。
【００１９】
上記構成の携帯電話機１０ａは、片手持ちで操作する場合、例えば、人差し指及び中指を第２滑り止め部２ａｂ又は第４滑り止め部２ａｄに接触させた状態で端末を保持し、親指でフリック（ドラッグ）、スワイプ、タップなどの操作を行い、キー７を操作するときには、端末を手の中で滑らせた後に、中指及び薬指を第１滑り止め部２ａａ又は第３滑り止め部２ａｃに接触させた状態で端末を保持し、親指でキー７を操作するように構成されている。
【００２０】
以上説明したように、本実施形態の携帯電話機１０ａによれば、平板状の端末本体８ａの裏面側に配置する電池蓋９に対して、端末本体８ａの裏面側の第１滑り止め部２ａａ、第２滑り止め部２ａｂ、第３滑り止め部２ａｃ及び第４滑り止め部２ａｄが露出するように第１開口部９ｃａ、第２開口部９ｃｂ、第３開口部９ｃｃ及び第４開口部９ｃｄがそれぞれ設けられているので、端末本体８ａの裏面側の第１滑り止め部２ａａ、第２滑り止め部２ａｂ、第３滑り止め部２ａｃ及び第４滑り止め部２ａｄを電池蓋９からその第１開口部９ｃａ、第２開口部９ｃｂ、第３開口部９ｃｃ及び第４開口部９ｃｄを介して露出させることにより、携帯電話機１０ａに滑り止め構造を搭載することができる。ここで、滑り止め構造を構成する第１滑り止め部２ａａ、第２滑り止め部２ａｂ、第３滑り止め部２ａｃ及び第４滑り止め部２ａｄは、端末本体８ａの表面における滑り止め加工により形成されるので、携帯電話機１０ａに滑り止め構造が搭載されていても、携帯電話機１０ａのサイズアップを抑制することができると共に、デザイン性の低下を抑制することができる。したがって、デザイン性の低下及びサイズアップを抑制して、携帯電話機１０ａに滑り止め構造を搭載することができる。
【００２１】
また、本実施形態の携帯電話機１０ａによれば、キー７が配置された一方の短辺側に第１滑り止め部２ａａ及び第３滑り止め部２ａｃが相対的に短く設けられ、カメラ部６が配置された他方の短辺側に第２滑り止め部２ａｂ及び第４滑り止め部２ａｄが相対的に長く設けられているので、相対的に長い第２滑り止め部２ａｂ及び第４滑り止め部２ａｄを用いてフリック（ドラッグ）、スワイプ、タップなどの操作を行い、相対的に短い第１滑り止め部２ａａ及び第３滑り止め部２ａｃを用いてキー７の操作を行い、それらの操作を切り替える場合には、第１滑り止め部２ａａ及び第３滑り止め部２ａｃと第２滑り止め部２ａｂ及び第４滑り止め部２ａｄとの間の滑り止め加工が施されていない電池蓋９の表面を介して手の中で滑らせることにより、端末の落下を抑制して、片手持ちでの種々の操作をスムーズに行うことができる。
【００２２】
なお、本実施形態では、第１滑り止め部２ａａ、第２滑り止め部２ａｂ、第３滑り止め部２ａｃ及び第４滑り止め部２ａｄの各表面が電池蓋９の外表面と一致する構成を例示したが、第１滑り止め部２ａａ、第２滑り止め部２ａｂ、第３滑り止め部２ａｃ及び第４滑り止め部２ａｄの各表面は、電池蓋９の外表面から凹んでいてもよい。
【００２３】
《発明の実施形態２》
図５は、上記実施形態１で説明した携帯電話機１０ａの図２の拡大断面図に対応する本実施形態の携帯電話機１０ｂの拡大断面図である。なお、以下の実施形態において、図１〜図４と同じ部分については同じ符号を付して、その詳細な説明を省略する。
【００２４】
上記実施形態１では、裏側キャビネット２ａの各滑り止め部の全体が電池蓋９の外表面から突出しないように構成された携帯電話機１０ａを例示したが、本実施形態では、裏側キャビネット２ｂの各滑り止め部の一部が電池蓋９の外表面から突出するように構成された携帯電話機１０ｂを例示する。
【００２５】
携帯電話機１０ｂは、図５に示すように、表面側（図中上側）に表示画面Ｄを有し、平面視で長方形状に設けられた平板状の端末本体８ｂと、端末本体８ｂの裏面側（図中下側）に取り付けられ、カバー部材として平面視で長方形状に設けられた電池蓋９とを備えている。
【００２６】
端末本体８ｂは、図５に示すように、表側キャビネット１と、表側キャビネット１の周端部に嵌合するように設けられた樹脂製の裏側キャビネット２ｂと、表側キャビネット１の図中上側に収容された表示装置３と、表示装置３の図中上側に接着層を介して設けられたカバーガラス４と、表側キャビネット１の図中下側及び裏側キャビネット２ｂに収容された充電池５とを備えている。また、端末本体８ｂの表面側の表示画面Ｄにおける一方の短辺に沿う端部には、上記実施形態１の端末本体８ａと同様に、端末本体８ｂを操作するキー７が設けられている。
【００２７】
裏側キャビネット２ｂには、図５に示すように、充電池５を収容する開口部２ｃが平面視で矩形状に設けられている。また、裏側キャビネット２ｂの裏面側には、上記実施形態１の裏側キャビネット２ａと同様に、カメラ部６が搭載されている。また、裏側キャビネット２ｂの裏面側の一方の長辺に沿う端部には、一方の短辺側に一方の長辺に沿って延びるように第１滑り止め部が相対的に短く設けられ、他方の短辺側に一方の長辺に沿って延びるように第２滑り止め部が相対的に長く設けられている。また、裏側キャビネット２ｂの裏面側の他方の長辺に沿う端部には、図５に示すように、一方の短辺側に一方の長辺に沿って延びるように第３滑り止め部２ｂｃが相対的に短く設けられ、他方の短辺側に一方の長辺に沿って延びるように第４滑り止め部（不図示）が相対的に長く設けられている。
【００２８】
第１滑り止め部、第２滑り止め部、第３滑り止め部２ｂｃ及び第４滑り止め部の各表面は、例えば、滑り止め性を有するゴム素材のコーティング加工などの滑り止め加工が施されている。また、第１滑り止め部、第２滑り止め部、第３滑り止め部２ｂｃ及び第４滑り止め部の各表面には、図５に示すように、滑り止め加工が施された突起Ｐが設けられている。ここで、第１滑り止め部、第２滑り止め部、第３滑り止め部２ｂｃ及び第４滑り止め部の各表面は、裏側キャビネット２ｂに電池蓋９を取り付けた際に、各突起Ｐが電池蓋９の外表面から突出し、各突起Ｐ以外の部分が電池蓋９の外表面から突出しないように設けられている。なお、突起Ｐの形状は、例えば、平面視で点状や線状などである。
【００２９】
以上説明したように、本実施形態の携帯電話機１０ｂによれば、上記実施形態1と同様に、平板状の端末本体８ｂの裏面側に配置する電池蓋９に対して、端末本体８ｂの裏面側の第１滑り止め部、第２滑り止め部、第３滑り止め部２ｂｃ及び第４滑り止め部が露出するように第１開口部、第２開口部、第３開口部９ｃａ及び第４開口部がそれぞれ設けられているので、デザイン性の低下及びサイズアップを抑制して、携帯電話機１０ｂに滑り止め構造を搭載することができる。
【００３０】
また、本実施形態の携帯電話機１０ｂによれば、第１滑り止め部、第２滑り止め部、第３滑り止め部２ｂｃ及び第４滑り止め部の各表面に突起Ｐが設けられているので、例えば、各突起Ｐの先端を台の表面に接触させて、携帯電話機１０ｂを台上において水平な状態で操作する場合、携帯電話機１０ｂと台の表面との滑りが抑制されることにより、携帯電話機１０ｂの操作性を向上させることができる。そして、各突起Ｐは、第１滑り止め部、第２滑り止め部、第３滑り止め部及び第４滑り止め部の各表面の（占有率が極めて低い）一部であるので、携帯電話機１０ｂのデザイン性の低下を抑制することができる。
【００３１】
なお、上記各実施形態では、携帯端末として、スマートフォンと呼ばれる携帯電話機を例示したが、本発明は、スマートフォン以外の携帯電話機、ＰＨＳ（Personal Handy-phone System ）、ＰＤＡ(Personal Digital Assistant)、電子書籍端末、パソコン、モバイルツール、電子辞書、電卓、ゲーム機などにも適用することができる。
【００３２】
また、上記各実施形態では、カバー部材として電池蓋を例示したが、カバー部材は、端末本体の表面に元から取り付けられていれば、他の部材であってもよい。
【００３３】
また、上記各実施形態では、４つの滑り止め部を有する携帯電話機を例示したが、滑り止め部を少なくとも１つ以上有していれば、携帯電話機に滑り止め構造を搭載することができ、滑り止め部を５つ以上有していてもよい。
【産業上の利用可能性】
【００３４】
以上説明したように、本発明は、デザイン性の低下及びサイズアップを抑制して、携帯端末に滑り止め構造を搭載することができるので、操作中に落下し易い平板状の大型の携帯端末全般について有用である。
【符号の説明】
【００３５】
Ｄ        表示画面
Ｐ        突起
２ａａ    第１滑り止め部
２ａｂ    第２滑り止め部
２ａｃ    第３滑り止め部
２ａｄ    第４滑り止め部
５        充電池
７        キー
８ａ，８ｂ        端末本体
９        電池蓋（カバー部材）
９ｃａ    第１開口部
９ｃｂ    第２開口部
９ｃｃ    第３開口部
９ｃｄ    第４開口部
１０ａ，１０ｂ    携帯電話機（携帯端末）
【図１】
2014155055.tif 000003
【図２】
2014155055.tif 000004
【図３】
2014155055.tif 000005
【図４】
2014155055.tif 000006
【図５】
2014155055.tif 000007